(57)【要約】【課題】種類に応じて製品を便利に分類することができる包装箱を提供する。【解決手段】本考案の包装箱は、包装容器を提供するものであり、蓋体１及び箱体を含む。箱体は、縦方向に積み重ねて接続される複数のブリキからなる箱体である。本考案の包装箱は、分割体からなり、各分割体の底部には、分割板が設けられる。各分割体は、独立して使用することも、互いに挿入接続して１つの箱体として使用することもできる。本考案の包装箱に製品を包装する際、製品の種類に応じて製品を分類することができる。また、各分割体の体積が大きくないため、輸送過程において、分割された箱体の内部に激しい振動が発生して製品が損壊することがない。【選択図】図１
0003201584.tif 000002
【実用新案登録請求の範囲】
【請求項１】
蓋体及び箱体を備える包装箱であって、
前記箱体は、縦方向に連続して積み重ねて接続される複数の桶状のブリキからなる箱体であることを特徴とする包装箱。
【請求項２】
前記蓋体の側壁の上部辺縁及び底部辺縁と、前記箱体の側壁の上部辺縁及び底部辺縁とは、蓋体の軸心側の方向に湾曲する円弧辺であることを特徴とする請求項１に記載の包装箱。
【請求項３】
前記箱体の底面に隣り合う底部辺縁には、水平幅が前記底部辺縁より小さい扁平円弧辺が複数設置されることを特徴とする請求項２に記載の包装箱。
【請求項４】
前記扁平円弧辺は、４つであり、前記扁平円弧辺は、前記箱体の軸心を取り囲む上、前記底部辺縁に均一に分布することを特徴とする請求項３に記載の包装箱。
【請求項５】
前記箱体の前記上部辺縁に隣り合う部位には、前記箱体の軸心側の方向に水平に延伸し、他の箱体の底部辺縁に係止するための階段状の挿入接続枠が設置されることを特徴とする請求項４に記載の包装箱。
【請求項６】
前記包装箱は、前記上部辺縁と前記階段状の挿入接続枠との間に設置され、前記扁平円弧辺に組み合わせて係合される凸ブロックをさらに備えることを特徴とする請求項５に記載の包装箱。
【請求項７】
前記箱体は、下方から上方に順番に積み重ねて接続される第１箱体、第２箱体、第３箱体及び第４箱体の４つであり、前記蓋体は、前記第４箱体の上部に接続されることを特徴とする請求項１乃至６の何れか一項に記載の包装箱。
【請求項８】
前記第４箱体の側壁面の対向する２つの位置には、それぞれ一つの貫通孔が設けられることを特徴とする請求項７に記載の包装箱。
【請求項９】
前記第１箱体の底部には、桶状のベース台が設けられることを特徴とする請求項７に記載の包装箱。
【請求項１０】
前記ベース台の直径は、前記第１箱体の直径より大きく、前記ベース台の高さは、前記第１箱体の高さより低いことを特徴とする請求項９に記載の包装箱。
【考案の詳細な説明】
【技術分野】
【０００１】
本考案は、製品を収容包装することができる容器に関し、特に、包装箱に関する。
【背景技術】
【０００２】
新年、祝日などの際に送られる手土産は、市場価値が非常に高く、極めて大きな市場潜在力を有する。製品の外包装のデザインは、製品の販売量に大きく影響する。一般に、食品包装容器は、使い捨てであり、１つの用途しか有さず、収容された製品が全て使用されると、廃棄される。
【０００３】
現在、市場においては、１つの収容空間のみを有する桶状のブリキ又はプラスチックから製作される包装容器が普遍的に採用されている。しかし、１つの収容空間しか有さないため、包装容器内部に収容される製品を分類できない上、損壊しやすい。また、多種の製品を包装する場合、種類に応じて分類するのに不便である。
【０００４】
このため、収容される製品を分類するのに便利な包装容器が求められていた。
【考案の概要】
【考案が解決しようとする課題】
【０００５】
本考案の目的は、製品の種類に応じて便利に分類することができる包装箱を提供することにある。
【課題を解決するための手段】
【０００６】
上述の課題を解決するために、本考案の包装箱は、蓋体及び箱体を含む。箱体は、縦方向に連続して積み重ねて接続される複数の桶状のブリキからなる箱体を含む。
【０００７】
本考案の一実施形態中、蓋体の側壁の上部辺縁及び底部辺縁と、箱体の側壁の上部辺縁及び底部辺縁とは蓋体の軸心側の方向に湾曲する円弧辺である。
【０００８】
本考案の一実施形態中、箱体の底面に隣り合う底部辺縁には、水平幅が底部辺縁より小さい複数の扁平円弧辺が複数設置される。
【０００９】
本考案の一実施形態中、扁平円弧辺は、４つであり、扁平円弧辺は、箱体の軸心を取り囲む上、底部辺縁に均一に分布する。
【００１０】
本考案の一実施形態中、箱体の上部辺縁に隣り合う部位には、箱体の軸心側の方向に水平に延伸し、他の箱体の底部辺縁に係止するための階段状の挿入接続枠が設置される。
【００１１】
本考案の一実施形態中、包装箱は、上部辺縁と階段状の挿入接続枠との間に設置され、扁平円弧辺に組み合わせて係合される凸ブロックをさらに含む。
【００１２】
本考案の一実施形態中、箱体は、下方から上方に順番に積層されて接続される第１箱体、第２箱体、第３箱体及び第４箱体の４つであり、蓋体は、第４箱体の上部に接続される。
【００１３】
本考案の一実施形態中、第４箱体の側壁面の対向する２つの位置には、それぞれ一つの貫通孔が設けられる。第４箱体の内壁の貫通孔に隣り合う部位には、それぞれ一つの紐連結リングが設置される。紐の両端がそれぞれ異なる貫通孔に貫通され、それぞれ異なる紐連結リングに連結されることにより、第４箱体の外側に、環状の取っ手部材が形成される。
【００１４】
本考案の一実施形態中、第１箱体の底部には、桶状のベース台が設けられる。
【００１５】
本考案の一実施形態中、ベース台の直径は、第１箱体の直径より大きく、ベース台の高さは、第１箱体の高さより低い。
【考案の効果】
【００１６】
本考案の包装箱は、箱体が複数の分割体に分割され、各分割体を独立して使用することも、互いに接続して１つの箱体にして使用することもできる。本考案の包装箱に製品を包装する際、製品の種類に応じて異なる分割体に収容することにより、製品を分類することができる。また、各分割体の体積が大きくないため、輸送過程において、分割体の内部に激しい振動が発生して製品が損壊することがない。また、包装箱の内部の単一の大きなキャビティが複数の小さなキャビティに分割されるため、製品の種類に応じて便利に製品を分類し、製品の包装を規格化することができる。また、包装箱の内部キャビティ全体を十分に利用することができる。
【図面の簡単な説明】
【００１７】
【図１】本考案の包装箱の第１実施形態を示す分解斜視図である。
【図２】図１中の第４箱体及び第４箱体上の貫通孔及び凸ブロックを示す斜視図である。
【図３】図１中の蓋体及び蓋体の扁平円弧辺を示す斜視図である。
【図４】図１中の蓋体を示す断面図である。
【図５】図１中の第２箱体及び第３箱体を示す断面図である。
【図６】図１中の第１箱体を示す断面図である。
【図７】本考案の包装箱の第２実施形態を示す分解斜視図である。
【考案を実施するための形態】
【００１８】
本考案の目的、特徴及び効果を示す実施形態を図面に沿って詳細に説明する。
【００１９】
本考案は、製品を便利に分類することができ、重複して使用することができる包装箱を提供するものである。
【００２０】
（第１実施形態）
図１を参照する。図１は、本考案の第１実施形態を示す。本考案の包装箱は、１つの蓋体１及び４つのブリキからなる箱体に分割することができる。４つの箱体は、第１箱体５、第２箱体４、第３箱体３及び第４箱体２を含む。蓋体１及び各箱体は、略円柱状を呈する。ここで、箱体は、円柱状のみに限定されず、多辺形の柱状でもよい。蓋体１は、ブリキが桶状に巻かれてなる。桶状の蓋体１の上部には、ブリキからなる上面が設置される。蓋体１は略凹槽形状を呈し、開口が下方を向く。第１箱体５、第２箱体４、第３箱体３及び第４箱体２の底部には、ブリキからなる底面が設置される。これにより、各箱体の形状は、略凹槽形状を呈し、開口が上方を向く。
【００２１】
第１箱体５の上部辺縁と第２箱体４の底部辺縁とは、互いに接続され、第１キャビティが形成される。第２箱体４の上部辺縁と第３箱体３の底部辺縁とは、互いに接続され、第２キャビティが形成される。第３箱体３の上部辺縁と第４箱体２の底部辺縁とは、互いに接続され、第３キャビティが形成される。第２箱体２の上部辺縁と蓋体１の底部辺縁とは、互いに接続され、第４キャビティが形成される。前述の４つのキャビティは、それぞれ独立しており、各箱体と蓋体１とが組み合わされることにより、１つの包装箱となる。即ち、各上層の底面が下層の上面となり、大きな空間が独立して密閉された小さな空間に分割され、各小空間内に異なる製品をそれぞれ収容することができる。
【００２２】
本実施形態では、箱体が４つのキャビティに分割され、４つのキャビティが下方から上方に順番に配列され、挿入接続する方式によって形成される。
【００２３】
各箱体及び蓋体１の上部辺縁及び底部辺縁には、軸線方向に湾曲される円弧辺６が設置される。また、各箱体の上部辺縁には、軸線方向に収縮した階段状の挿入接続枠７が設置される。蓋体１と箱体、或いは、上下２つの隣り合う箱体を相互に挿入接続する際、上述の階段状の挿入接続枠７は、蓋体又は箱体の位置を限定するために用いられる。
【００２４】
箱体の底部の円弧辺６上には、パンチ加工によって凹陥した扁平円弧辺１０が設けられる（図３参照）。また、階段状の挿入接続枠７と上部辺縁との間には、凸ブロック１１がパンチ加工によって突出する（図２参照）。扁平円弧辺１０と凸ブロック１１とは、互いに組み合わされ、互いに挿入接続される各部材が回転したり、上下に移動したりしないように緊密に固定するために用いられる。本実施形態中、扁平円弧辺１０は、円弧辺６上に均一に設置される。また、凸ブロック１１は、上部辺縁と階段状の挿入接続枠７との間に均一に設置される。凸ブロック１１の数量は、それぞれ４つ設置され、挿入接続される際に組み合わせて使用することができる（図２参照）。
【００２５】
好適な実施形態中、上述の扁平円弧辺１０及び凸ブロック１１は、倒置されたＬ形に設置され、両者の倒置方向が反対である。このため、最終的に、扁平円弧辺１０と凸ブロック１１との形状が反対となり、互いに挿入接続することができるため、２つの部材を位置決めすることができる上、２つの部材を回転させて位置決めする際の位置を限定することができる。即ち、時計方向に回転させると、凸ブロック１１を扁平円弧辺１０に挿入することができ、反時計回りに回転させると、凸ブロック１１を扁平円弧辺１０から外し、キャビティを開けて中の製品を取り出すことができる。製品を収容した後、各部材を順番に回転させて接合することにより、完全な包装箱を形成することができる。前述の扁平円弧辺１０及び凸ブロック１１が設置された実施形態中、扁平円弧辺１０及び凸ブロック１１は、２つずつ設置され、両者は、円形の箱体の円中心を通る対称位置に設置され、両者の位置が互いに対応することにより、凸ブロック１１を扁平円弧辺１０中に挿入することができる。
【００２６】
ここで、上述の扁平円弧辺１０及び凸ブロック１１の設置方式及び設置数量は、少数の場合を例示したが、挿入接続を実現することができる接続方式は、何も本考案の保護範囲に含まれる。
【００２７】
他の実施形態中、各箱体の上部辺縁は、軸方向に収縮した態様を呈し、収縮された部分の箱体の半径は、下方の箱体より若干小さく、縮小された寸法は、下方の箱体上の円弧辺６の寸法と略同一である。これにより、２つの部材を互いに挿入接続する際、スムーズに挿入接続することができる。
【００２８】
上部の辺縁が軸線方向に収縮しているため、上方の箱体の底部辺縁と組み合わせた際、全体の外観が影響を受けず、包装箱全体の各面が滑らかな表面を呈し、明らかに突起した部分が存在しない。
【００２９】
製品の実用性及び美観性のために、本考案の包装箱は、第４箱体２上の軸線対称の側壁上に貫通孔９を開設することができる（図２参照）。両側の貫通孔の周囲には、ネジ、ボルトなどによって桶壁の内側から外側に紐連結リングが設置される。紐連結リングは、紐を固定するために用いられる。紐が内部から貫通孔９を通って外部に貫通し、他方の側部の紐連結リングに連結されることにより、環状の取っ手部材が形成される。これにより、ユーザは、包装箱を便利に持ち運びすることができる。また、紐連結リングの外側には、対応するパターンを設置し、製品を美しくすることができる。
【００３０】
本考案の包装箱の第１箱体５の底部には、ベース台８が設置される。ベース台８は、ブリキ板から製作される。ベース台８の半径は、箱体の半径より大きく、水平方向上において箱体から外側に突出する。ベース台８の高さは、箱体の高さより小さい。ベース台８の上部辺縁には、内側に湾曲する円弧辺が設置される。ベース台８及び箱体の外壁によって１つの階段部分が形成される。
【００３１】
（第２実施形態）
箱体の数量は、使用状況に応じて決定することができる。即ち、箱体の接続個数は、増減可能である。即ち、箱体の数量が異なる態様も本考案の保護範囲に含まれる。図７には、他の実施形態を示す。また、本考案の包装箱は、ブリキ、プラスチック又は他の材料から製造することができる。
【００３２】
計算及び試験から、本考案の一実施形態中における包装箱の寸法を以下に示す。箱体の最外側の直径は、２２２ｍｍであり、内側にパンチ加工される円弧辺６の幅は、３ｍｍである。このため、箱体の上端の円中心方向に圧縮された後の直径は、２１６ｍｍである。蓋体１の高さは、４０ｍｍであり（図４参照）、蓋体１の上面には、底部方向に凹陥する円面が設置される。円面の凹陥高さは、８ｍｍであり、凹陥した部分の小さい円面の直径は、２００ｍｍである。
【００３３】
第４箱体２の高さは、１００ｍｍである（図５参照）。上部から円中心方向にパンチ加工される階段状の挿入接続枠７の円弧辺の幅は、２．５ｍｍであり、高さは、１５ｍｍである。底部辺縁から１５ｍｍの部分にブリキからなる底面が設置される。他の水平方向の寸法は、蓋体１と同一である。第２箱体４及び第３箱体３の寸法は、第４箱体の寸法と同一である。
【００３４】
第１箱体５の寸法は、第４箱体２の寸法と同一である。第１箱体５の底部のみにベース台８が設置される。ベース台８の直径は、２２２ｍｍである（図６参照）。ベース台８の底部には、上部方向に突出した円面が設置される。円面の直径は、２００ｍｍである。
【００３５】
上述の寸法は、本考案の一実施形態を示すものであり、実施する際、製品の寸法及び必要に応じて変更することができる。
【００３６】
上述の実施形態は、本考案を説明するために提供するものであり、本考案を制限するものではなく、本考案の主旨を逸脱しない範囲における簡易な変更及び修飾は、何も本考案の実用新案登録請求の範囲に含まれる。
【符号の説明】
【００３７】
１    蓋体
２    第４箱体
３    第３箱体
４    第２箱体
５    第１箱体
６    円弧辺
７    挿入接続枠
８    ベース台
９    貫通孔
１０  扁平円弧辺
１１  凸ブロック
【図１】
0003201584.tif 000003
【図２】
0003201584.tif 000004
【図３】
0003201584.tif 000005
【図４】
0003201584.tif 000006
【図５】
0003201584.tif 000007
【図６】
0003201584.tif 000008
【図７】
0003201584.tif 000009